(57)【要約】【課題】返却経路に沿って異物を挿入してなされる不正行為を防止できる遊技機を提供する。【解決手段】メダルセレクタ４１の面５０ｃに、ほぼ同じ高さの位置で穴４４ａの幅より大きな間隔で略平行な軸６０，６１が設けられ、開閉扉４７を構成する揺動板４８，４９それぞれの上端部４８ａ，４９ａがそれぞれ軸６０，６１によって揺動自在に軸支されている。揺動板４８，４９それぞれの下端部４８ｂ，４９ｂは自由端となっている。揺動板４８，４９は、軸６０，６１の略中間下方において下端部４８ｂ，４９ｂが重なり合って返却経路４６を閉鎖する閉鎖位置と、下端部４８ｂと下端部４９ｂとの間にできた隙間からメダル３０などが転落することができる開放位置との間で揺動する。【選択図】        図５
2007054192.tif 000002
【特許請求の範囲】
【請求項１】
投入口から投入された遊技媒体をホッパー装置の貯留部へと流下させる流下経路と、前記流下経路から分岐して遊技媒体を外部へ返却する返却経路と、前記流下経路と前記返却経路とに遊技媒体を振り分けるセレクターとを備えた遊技機において、
前記返却経路を閉鎖する閉鎖位置と、前記返却経路を通過しようとする遊技媒体による押圧で揺動して前記返却経路を開放する開放位置とに移動する開閉扉を備えたことを特徴とする遊技機。
【請求項２】
前記開閉扉は、対向する左右一対の揺動自在な板状部材から構成され、前記板状部材それぞれは、一端部が軸着され、他端部が自由端とされており、前記閉鎖位置にあるときには、それぞれの他端部が重なり合うことを特徴とする請求項１記載の遊技機。
【請求項３】
前記板状部材は、それぞれ前記セレクターに軸着されることを特徴とする請求項２記載の遊技機。
【請求項４】
前記開閉扉を挟んで前記セレクターと対向するように配設され、上方のみ開放された略閉鎖空間を前記開閉扉及び前記セレクターと共に形成する壁部材を備えたことを特徴とする請求項３記載の遊技機。
【発明の詳細な説明】
【技術分野】
【０００１】
本発明は、パチンコ店等の遊技場で使用される遊技機に関するものである。
【背景技術】
【０００２】
本明細書中では遊技機の１つとしてパチスロ機を例に挙げて説明しているため、遊技を行うための遊技媒体としてメダルを用いて説明するが、遊技媒体としてはパチンコ玉など他の媒体も含む。
【０００３】
パチンコ店などの遊技場に設置して使用されるスロットマシンはパチスロ機と称されている。このようなスロットマシンでは、一般的に筐体前面側に設けられた投入口に規定のメダルを１〜３枚投入して遊技が行われる。スロットマシン内には、投入されたメダルをホッパー装置の貯留部へと流下させる流下経路が設けられており、流下経路の途中には、投入されたメダルの選別を行うセレクターと、この流下経路をメダルが通過したことを検知する光電センサが配設されている。光電センサによってメダルが検知されると、投入されたメダルの枚数がカウントされる。
【０００４】
セレクターは、流下経路において光電センサよりも上流に配設されており、例えば適切なタイミングで投入された正規のメダルと、規定のメダルとは大きさが異なるメダルや不適切なタイミングで投入されたメダルとを選別し、前者は光電センサへと続く流下経路に、後者はメダルをスロットマシン外に返却する返却経路に、それぞれ振り分ける。返却経路に振り分けられたメダルはスロットマシンの下部前面の排出口から受け皿に返却される。
【０００５】
ところで、投入口から挿入したセル板等の異物によって光電センサを誤動作させ、正規のメダルが投入されたかのようにカウントさせる行為が行われることがある。このような不正行為に対し、流下経路において光電センサよりも上流に、メダルの押圧によって一方向に回転する羽根車を設け、異物の通過を羽根車によって防止することが特許文献１などで提案されている。
【特許文献１】特開２００５−１１８３０２
【発明の開示】
【発明が解決しようとする課題】
【０００６】
しかしながら、上記のようなスロットマシンは、投入口から挿入された異物が光電センサに達することは防止することができるが、排出口から返却経路に沿って異物が挿入された場合には、異物が光電センサに達してしまい、光電センサを誤動作させる不正行為が行われてしまうおそれがある。
【０００７】
本発明は、上記課題を鑑みてなされたものであり、返却経路に沿って異物を挿入してなされる不正行為を防止できる遊技機を提供することを目的とする。
【課題を解決するための手段】
【０００８】
本発明の遊技機は、投入口から投入された遊技媒体をホッパー装置の貯留部へと流下させる流下経路と、前記流下経路から分岐して遊技媒体を外部へ返却する返却経路と、前記流下経路と前記返却経路とに遊技媒体を振り分けるセレクターとを備えたものであって、前記返却経路を閉鎖する閉鎖位置と、前記返却経路を通過しようとする遊技媒体による押圧で揺動して前記返却経路を開放する開放位置とに移動する開閉扉を備えたことを特徴とするものである。
【０００９】
また、前記開閉扉は、対向する左右一対の揺動自在な板状部材から構成され、前記板状部材それぞれは、一端部が軸着され、他端部が自由端とされており、前記閉鎖位置にあるときには、それぞれの他端部が重なり合うことが好適である。
【００１０】
また、前記板状部材は、それぞれ前記セレクターに軸着されることが好適である。
【００１１】
また、前記開閉扉を挟んで前記セレクターと対向するように配設され、上方のみ開放された略閉鎖空間を前記開閉扉及び前記セレクターと共に形成する壁部材を備えることが好適である。
【発明の効果】
【００１２】
本発明の遊技機は、返却経路を閉鎖する閉鎖位置と、返却経路を通過しようとする遊技媒体による押圧で揺動して返却経路を開放する開放位置とに移動する開閉扉を備えたので、異物が返却経路を通過することを防ぐことができ、返却経路に沿って異物を挿入してなされる不正行為を防止できる。
【００１３】
また、開閉扉を、対向する左右一対の揺動自在な板状部材から構成し、板状部材それぞれを、一端部を軸着し、他端部を自由端とし、閉鎖位置にあるときには、それぞれの他端部が重なり合うようにすることで、開閉扉の密閉度が高まり、異物が返却経路を通過すること防ぐ効果を向上させることができる。
【００１４】
また、板状部材をセレクターに軸着することで、開閉扉は、遊技機からセレクターと共に脱着されるようになり、このセレクターを取り付けることによって開閉扉を他機種に設けることができ、開閉扉を他機種に流用することが容易となる。
【００１５】
また、開閉扉を挟んでセレクターと対向するように配設され、上方のみ開放された略閉鎖空間を開閉扉及びセレクターと共に形成する壁部材を備えることによって、返却経路を閉鎖する際の密閉性を高めることができる。
【発明を実施するための最良の形態】
【００１６】
図１に本発明を用いた遊技機の１実施例であるスロットマシン１０の外観を示す。スロットマシン１０は、収納箱１１及び前面扉１２からなる筐体１３を備えている。前面扉１２は、収納箱１１の前面側に開閉自在に取り付けられている。前面扉１２には、表示窓１４が設けられており、表示窓１４の奥には、第１リール１５ａ、第２リール１５ｂ、第３リール１５ｃが回転自在に組み込まれたリールユニット３２（図２参照）が配設されている。表示窓１４の下方には、ＭＡＸベットボタン１６、１ベットボタン１７、ストップボタン１８ａ，１８ｂ，１８ｃ、スタートレバー１９、精算ボタン２０等の各種の操作ボタンや、メダル（遊技媒体）３０を投入するメダル投入口２１が設けられている。なお、上記操作ボタンの機能については周知であるため、説明を省略する。前面扉１２の下部には、スロットマシン１０で遊技を行って当選役が入賞した場合にメダル３０を払い出したり、規定のメダル３０とは異なるものや不適切なタイミングで投入されたメダル３０を返却するためのメダル排出口２２と、メダル排出口２２から排出されるメダル３０などを受けるメダル受け皿２３と、遊技中に音楽や音声を発するスピーカ２４が設けられている。
【００１７】
第１〜第３リール１５ａ〜１５ｃの外周には複数種類の絵柄が一定ピッチで配列され、第１〜第３リール１５ａ〜１５ｃが停止した状態では、表示窓１４を通して１リール当たり３個の絵柄が観察可能となる。また、表示窓１４から観察可能な各リールの絵柄を１個ずつ組み合わせた直線状の入賞有効ラインが、横３本、斜め２本の合計５本設定されている。遊技開始に先立ってメダル投入口２１から１枚のメダル３０を投入したときには、中央横１本の入賞有効ラインが有効化され、２枚では横３本、３枚ではさらに斜め２本を加えた５本の入賞有効ラインが有効化される。
【００１８】
スロットマシン１０では、５０枚を限度に適正なメダル３０をクレジット（貯留）することが可能になっている。表示窓１４の下方には貯留されているメダル３０の枚数が表示されるクレジット枚数表示部２５が設けられている。クレジットされるメダル３０の最大枚数は５０枚であるので、クレジット枚数表示部２５には０〜５０の数値が表示されるようになっている。クレジット枚数表示部２５の側方にはエラー表示部２６が設けられている。機械動作、遊技動作に異常がある場合等には、エラー表示部２６に異常に応じたエラーコードが表示されるようになっている。
【００１９】
図２に示すように、筐体１３内には、スロットマシン１０を管制するＣＰＵ等が組み込まれたメイン基板３１、リールユニット３２、電源ボックス３３、ホッパー装置３４等が設けられている。メイン基板３１は、メイン基板３１に不正な改造が施されることを防止するために透明なプラスチックで形成された基板ケースに封入されて開放不能となっている。リールユニット３２は、第１〜第３リール１５ａ〜１５ｃと図示しない各リールに対応したステッピングモータ、第１〜第３リール１５ａ〜１５ｃの内側から各リールを照射するバックランプ、第１〜第３リール１５ａ〜１５ｃの回転角を検知するフォトセンサ等が組み込まれて構成されている。電源ボックス３３は、スロットマシン１０の電源のオン／オフを行う電源スイッチ３６、スロットマシン１０のペイアウト率の設定を変更する設定変更スイッチ３７等が設けられている。
【００２０】
ホッパー装置３４は、上部に貯留タンク（貯留部）３８を備えている。貯留タンク３８は、メダル投入口２１から投入されたメダル３０を貯留する。遊技を行ってメダル３０の払い出しを伴う当選役が入賞した場合には、ホッパー装置３４が駆動されて、当選役の種類に応じた枚数のメダル３０がメダル出口３４ａからメダル排出口２２に送り出され、メダル受け皿２３に払い出される。また、貯留タンク３８の前面には、略方形板状の壁部材３９が、前面扉１２を閉じている際に後述するメダルセレクタ４１に対向するように螺着されている。
【００２１】
前面扉１２の裏には、メダル投入口２１の下方にメダルセレクタ４１及びメダル案内部材４２が設けられている。さらに、メダルセレクタ４１の下方には、返却シュート４３が設けられている。メダルセレクタ４１には、方形の穴４４ａが形成された通路カバー４４が取り付けられている。詳しくは後述するが、メダル投入口２１から投入されたメダル３０は、メダルセレクタ４１及びメダル案内部材４２によって形成される流下経路４５（図３に図示）を流下して貯留タンク３８に至るか、または、メダルセレクタ４１から分岐し、穴４４ａ及び返却シュート４３によって形成される返却経路４６を通過して、メダル排出口２２からメダル受け皿２３に返却される。
【００２２】
メダルセレクタ４１の図２中手前側の面の、穴４４ａと返却シュート４３の入り口４３ａとの間には、詳しくは後述するが、返却経路４６を閉鎖する閉鎖位置と、開放する開放位置とに移動する開閉扉４７が設けられている。開閉扉４７は、それぞれが揺動自在に軸着された１対の対面する揺動板（板状部材）４８，４９から構成されている。
【００２３】
図３に示すように、メダルセレクタ４１は、基部５０、振分装置５１、メダル通過センサ５２から構成されている。基部５０は樹脂で形成されている。基部５０には、メダル３０の直径よりも幅がやや広い溝からなる第１メダル通路５３が形成されている。メダルセレクタ４１が前面扉１２に取り付けられると、第１メダル通路５３のメダル入口５３ａはメダル投入口２１と連通するようになっており、メダル投入口２１から投入されたメダル３０はメダル入口５３ａから第１メダル通路５３内に侵入する。
【００２４】
第１メダル通路５３は、略Ｌ字形に屈曲するように形成されており、メダル３０の周面と接触する接触底面５３ｂと、メダル３０の径方向の面と接触する接触壁面５３ｃとから構成されている。第１メダル通路５３の振分装置５１が設けられている箇所以外の部分は、上記した通路カバー４４によって覆われており、メダル３０が第１メダル通路５３から図３中手前方向へ転落しないようになっている。なお、基部５０は、図３中手前方向にやや傾くように前面扉１２に取り付けられているため、流下するメダル３０は通路カバー４４の方向に自重がかかるように構成されている。
【００２５】
メダル入口５３ａから第１メダル通路５３に侵入したメダル３０は、第１メダル通路５３の屈曲した部分を通過すると、その進行方向がメダル３０が第１メダル通路５３内に侵入した方向（図３中Ａ方向）と略直交した方向（図３中Ｂ方向）に変化するようになっている。
【００２６】
基部５０の第１メダル通路５３が形成されている面で、メダル入口５３ａから見て第１メダル通路５３の屈曲した部分よりも下流側の部分（図３中Ｂ方向にメダル３０が進行する部分）の上方には、振分装置取付部５０ａが設けられている。振分装置取付部５０ａは、基部５０に形成された略矩形状で凹状の溝からなり、この溝を取り囲む壁面のうちの第１メダル通路５３に臨む壁面は一部が開放されている。振分装置取付部５０ａには振分装置５１が設けられている。
【００２７】
振分装置５１は、基部５０に取り付けられる取付板５１ａ、取付板５１ａに図３中Ｃ方向に回動自在に取り付けられる回動板５１ｂ、回動板５１ｂに励磁作用を与えるソレノイド（図示せず）及び回動板５１ｂを付勢する捻りバネ（図示せず）から構成されている。
【００２８】
取付板５１ａ及び回動板５１ｂは、金属製の薄板で形成されている。取付板５１ａは矩形状に形成されており、基部５０の振分装置取付部５０ａの取付面５０ｂから垂直に突出するように基部５０に取り付けられている。
【００２９】
回動板５１ｂは略Ｔ字状に形成されており、取付板５１ａの突出方向と直交して振分装置取付部５０ａの取付面５０ｂ、及び接触壁面５３ｃと対面するように取付板５１ａに回動自在に取り付けられている。回動板５１ｂが取付板５１ａに取り付けられると、回動板５１ｂの幅が広い部分であるメダル振り分け部５１ｃの一部は、接触壁面５３ｃと対向して突出し、振分装置取付部５０ａの前述した開放部分から第１メダル通路５３内に侵入した通過位置と、第１メダル通路５３内に侵入しない排出位置とに電気的な制御によって変位自在な状態となる。また、メダル振り分け部５１ｃが第１メダル通路５３内に侵入した状態では、メダル振り分け部５１ｃの端縁と、接触底面５３ｂとの距離が、メダル３０の直径よりも小さくなるように、回動板５１ｂは取り付けられている。これにより、メダル振り分け部５１ｃは、接触底面５３ｂの上を転動するメダル３０の径方向上部面と接触してメダル３０を支持することができるように配置され、投入されたメダル３０は下流に位置するメダル案内部材４２へと案内される。
【００３０】
また、回動板５１ｂは、前述したソレノイドの励磁作用とバネの復元力によって、取付板５１ａとの取付部分に設けられた軸を支点に、メダル３０の通過を可能にする通過位置と、メダル振り分け部５１ｃがメダル３０の径方向上部面の支持を中止し、第１メダル通路５３からメダル３０を図３中手前方向に落下させる排出位置との間で回動される。
【００３１】
メダル３０が投入されると、前述したソレノイドによる励磁作用が働くことで、回動板５１ｂは第１メダル通路５３の接触壁面５３ｃに向かう方向に付勢されて通過位置にセットされる。これにより、メダル３０が正規の大きさであれば、回動板５１ｂのメダル振り分け部５１ｃによってメダル３０の転動方向が図３中Ｂ方向に規制されるので、メダル３０は第１メダル通路５３を通過する。
【００３２】
第１メダル通路５３の振分装置５１が設けられている箇所には、通路カバー４４の穴４４ａが開口している。穴４４ａは、メダル入口５３ａから見て第１メダル通路５３の屈曲した部分よりも下流側の部分（図３中Ｂ方向にメダル３０が進行する部分）に沿った、左右を長手方向とする略長方形であり、穴４４ａからは振分装置５１やメダル通過センサ５２が露呈している。穴４４ａの下縁は、メダル３０の径方向下部面と接触するように、接触底面５３ｂより高い位置となっている。この穴４４ａから正規のメダル３０でないものが排出される。
【００３３】
メダル３０が貯留されている枚数が上限枚数である５０枚に達している場合や、遊技を行っている最中（スタートレバー１９を操作して第１〜第３リール１５ａ〜１５ｃが回転してから、全ての第１〜第３リール１５ａ〜１５ｃが停止されるまでの状態）、メダル通過センサ５２やメダルの材質または大きさ等の検知で正規でないと判断された場合などには、前述したソレノイドの励磁作用が断たれ、回動板５１ｂはバネの復元力によってメダル３０の径方向上部面を支持する通過位置からメダル３０の径方向上部面を支持しない排出位置にセットされる。これにより正規のメダル３０でないものは穴４４ａの下縁によって径方向下部面を支持されるのみとなり、支えを失って、穴４４ａから図３中手前方向に排出され、開閉扉４７上に落下する。なお、振分装置５１と連動して出入りするピンを、第１メダル通路５３の振分装置５１が設置されている箇所よりも下流側に設けて、正規のメダル３０でないものを排出する精度を高めるなどしても良い。
【００３４】
メダル通過センサ５２は、第１メダル通路５３の振分装置５１が設置されている箇所よりも下流側に設けられており、第１メダル通路５３を転動してきたメダル３０を検出する。メダル通過センサ５２は、第１メダルセンサ５２ａ及び第２メダルセンサ５２ｂから構成されている。第１及び第２メダルセンサ５２ａ，５２ｂは、例えば、投光部と受光部とを一体に備えた反射型の光電センサであって、第１メダル通路５３の接触壁面５３ｃに取り付けられている。第１及び第２メダルセンサ５２ａ，５２ｂは、メダル３０の進行方向に沿って上流側に第１メダルセンサ５２ａ、下流側に第２メダルセンサ５２ｂが配置されている。メダル３０が第１メダルセンサ５２ａや第２メダルセンサ５２ｂが配置された所を通過したとき、第１メダルセンサ５２ａや第２メダルセンサ５２ｂの投光部から投光された光がメダル３０によって反射され、反射された光がそれぞれの受光部で受光されることによって、メダル３０は検出される。
【００３５】
メダルセレクタ４１の下流側の側方には、メダル案内部材４２が隣接して配置されている。第１メダル通路５３を転動してきたメダル３０は、メダル案内部材４２によって貯留タンク３８へと導かれる。
【００３６】
メダル案内部材４２にはその断面を略コの字形状とした溝からなる第２メダル通路５５が形成されている。メダル案内部材４２はメダルセレクタ４１に隣接して配置され、第２メダル通路５５は第１メダル通路５３と連通している。このため、第１メダル通路５３を転動してきたメダル３０は第２メダル通路５５に侵入する。メダル案内部材４２は第１メダル通路５３内を図３中Ｂ方向に転動するメダル３０が第２メダル通路５５でスロットマシン１０の背面側に向かう方向（図３中Ｅ方向）に進行方向を変更するように、屈曲して形成されている。そして、前面扉１２が閉じられると、第２メダル通路５５の出口５５ａは貯留タンク３８の上方に位置するようにメダル案内部材４２の長さは設定されている。また、第２メダル通路５５は第１メダル通路５３からメダル３０が侵入する方の端部から出口５５ａにかけて下方に傾斜しており、第１メダル通路５３から第２メダル通路５５に侵入したメダル３０はその傾斜によって第２メダル通路５５を転動する。このように、第１メダル通路５３及び第２メダル通路５５によって、メダル投入口２１から投入されたメダル３０をホッパー装置３４の貯留タンク３８へと流下させる流下経路４５が形成されている。
【００３７】
基部５０の、第１メダル通路５３の下方で、第１メダル通路５３が設けられた側（図３中、手前側）の面５０ｃには、ほぼ同じ高さの位置で穴４４ａの幅より大きな間隔で略平行な軸６０，６１が、面５０ｃから垂直に突出するように設けられ、開閉扉４７を構成する揺動板４８，４９それぞれの上端部４８ａ，４９ａがそれぞれ軸６０，６１によって揺動自在に軸支されている。揺動板４８，４９それぞれの下端部４８ｂ，４９ｂは自由端となっている。揺動板４８，４９は、軸６０，６１を軸心として返却経路４６を閉鎖する閉鎖位置（図５（Ａ）参照）と、開放する開放位置（図５（Ｂ）参照）との間で揺動する。揺動板４８，４９は、それぞれ捻りバネ（図示せず）によって閉鎖位置に向けて付勢され、ストッパ６２，６３により閉鎖位置に保持されている。
【００３８】
閉鎖位置は、軸６０，６１の軸間の略中間下方において揺動板４８，４９それぞれの下端部４８ｂ，４９ｂが重なり合う位置であり、閉鎖位置にあるとき揺動板４８，４９それぞれは、軸着された上端部４８ａ，４９ａから重なり合う下端部４８ｂ，４９ｂにかけて下方に傾斜した状態となる。
【００３９】
開放位置は、穴４４ａから排出されたメダル３０などが揺動板４８，４９上に落下したときに、メダル３０などの重量によって揺動板４８，４９が下方に揺動し、下端部４８ｂと下端部４９ｂとの間にできた隙間からメダル３０などが転落することができる位置である。揺動板４８，４９から転落したメダル３０などは、入り口４３ａから返却シュート４３に侵入し、返却シュート４３を通過してメダル排出口２２からメダル受け皿２３に返却される。
【００４０】
図４に示すように、前面扉１２が閉じられているときには、壁部材３９が、揺動板４８，４９を挟んでメダルセレクタ４１と対向する位置となる。揺動板４８，４９が閉鎖位置にあるときには、図４中手前側を壁部材３９が、奥側をメダルセレクタ４１が、下方右側を揺動板４８が、下方左側を揺動板４９がそれぞれ閉鎖することによって、上方のみ開放された略閉鎖空間６５（図４中、１点鎖線にて示す）が形成される。
【００４１】
次に上記のように構成されたスロットマシン１０の作用について説明する。図５（Ａ）に示すように、メダル３０が、第１メダル通路５３を流下しているときには、揺動板４８，４９は閉鎖位置にあり、穴４４ａ及び返却シュート４３からなる返却経路４６は閉鎖される。このとき、メダル排出口２２から返却シュート４３に挿入された異物が、穴４４ａに達することを防ぎ、返却経路４６を通過してメダル通過センサ５２を誤動作させる不正行為を防止することができる。
【００４２】
規定のメダル３０とは異なる大きさであったり、不適切なタイミングで投入されるなどしたメダル７０は穴４４ａから排出され、揺動板４８，４９上に落下する。そして、図５（Ｂ）に示すように、揺動板４８，４９はメダル７０の重量によって下方に揺動して開放位置となり、下端部４８ｂと下端部４９ｂとの間にできた隙間からメダル７０が返却シュート４３に転落する。メダル７０が転落した後、揺動板４８，４９は閉鎖位置に復帰する。
【００４３】
なお、上記実施形態では、開閉扉４７は揺動板４８，４９から構成されていたが、開閉扉の構成はこれに限られず、揺動して返却経路の閉鎖・開放を行えるものであれば、例えば、中央を軸支されて左右に揺動する板状部材で構成されるようにしても良い。
【００４４】
上記実施形態では、壁部材３９は貯留タンク３８に螺着されていたが、壁部材３９を固着する場所はこれに限られず、メダルセレクタ４１と対向するように、例えば前面扉１２の裏側に設けられたブラケット等に固着されるものとしても良い。
【図面の簡単な説明】
【００４５】
【図１】本発明を実施したスロットマシンの外観を示す斜視図である。
【図２】スロットマシンの内部を示す斜視図である。
【図３】メダルセレクタ及び開閉扉を示す斜視図である。
【図４】メダルセレクタ、開閉扉及び壁部材を示す斜視図である。
【図５】開閉扉の閉鎖位置及び開放位置を示す説明図である。
【符号の説明】
【００４６】
１０  スロットマシン（遊技機）
３４  ホッパー装置
３８  貯留タンク（貯留部）
３９  壁部材
４１  メダルセレクタ（セレクタ）
４５  流下経路
４６  返却経路
４７  開閉扉
４８，４９  揺動板（板状部材）
４８ａ，４９ａ  上端部
４８ｂ，４９ｂ  下端部
【図１】
2007054192.tif 000003
【図２】
2007054192.tif 000004
【図３】
2007054192.tif 000005
【図４】
2007054192.tif 000006
【図５】
2007054192.tif 000007